(57)【要約】  メタデータの同期化方法、装置及びその方法を行うためのプログラムが保存された記録媒体を提供する。  第１資産のメタデータを編集するステップと、第１資産が参照しているコンテンツのバックワードリンク情報ファイルを利用して、第１資産と同じコンテンツを参照している第２資産を検出するステップと、第２資産のメタデータを第１資産の編集されたメタデータに同期化するステップとを含む。
2007536614.tif 000002
【特許請求の範囲】
【請求項１】
メタデータの同期化方法において、
第１資産のメタデータを編集するステップと、
前記第１資産が参照しているコンテンツのバックワードリンク情報ファイルを利用して、前記第１資産のように同じコンテンツを参照している第２資産を検出するステップと、
前記第２資産のメタデータを前記第１資産の編集されたメタデータに同期化するステップとを含むメタデータの同期化方法。
【請求項２】
前記方法は、
前記第２資産が検出されれば、ユーザに前記第２資産の検出を通報するステップと、
前記ユーザによって前記第２資産に対する同期化が要求されれば、前記同期化ステップを行うステップとをさらに含むことを特徴とする請求項１に記載のメタデータの同期化方法。
【請求項３】
前記バックワードリンク情報ファイルに複数の分析されていない項目があれば、前記検出ステップ、通報ステップ及び同期化ステップは、項目単位で行われることを特徴とする請求項２に記載のメタデータの同期化方法。
【請求項４】
前記バックワードリンク情報ファイルに複数の分析されていない項目があれば、前記検出ステップ及び同期化ステップは、項目単位で行われることを特徴とする請求項１に記載のメタデータの同期化方法。
【請求項５】
ＭＰＶファイルユニットとバックワードリンクファイルユニットとを含むシステムにおける資産のメタデータの同期化方法において、
第１資産のメタデータを編集するステップと、
前記バックワードリンクファイルユニットで前記第１資産が参照しているコンテンツのバックワードリンク情報ファイルを検索するステップと、
前記バックワードリンク情報ファイルに基づいて前記ＭＰＶファイルユニットから検出された第２資産が前記第１資産と同じコンテンツを参照しているか否かをチェックするステップと、
前記第２資産が前記第１資産と同じコンテンツを参照すれば、前記第２資産のメタデータを前記第１資産の編集されたメタデータに同期化するステップとを含む資産のメタデータの同期化方法。
【請求項６】
前記方法は、
前記第２資産が前記第１資産と同じコンテンツを参照すれば、前記第２資産の検出をユーザに通報するステップと、
前記ユーザによって前記第２資産に対する同期化の要求が受信されれば、前記同期化ステップを行うステップとをさらに含むことを特徴とする請求項５に記載の資産のメタデータの同期化方法。
【請求項７】
メタデータの同期化装置において、
少なくとも一つの資産についての情報を有しているＭＰＶファイルユニットと、
第１資産のメタデータを編集するメタデータ編集ユニットと、
少なくとも一つのコンテンツのバックワードリンク情報ファイルを保存するバックワードリンク情報ファイルユニットと、
前記メタデータ編集ユニットから提供される前記第１資産の情報に基づいて前記バックワードリンク情報ファイルユニットから前記第１資産が参照しているコンテンツのバックワードリンク情報ファイルを検索する検索部と、
前記検索部によって検索されたバックワードリンク情報ファイルと前記ＭＰＶファイルユニットに含まれた情報とを利用して、前記第１資産と同じコンテンツを参照している第２資産を検出する資産検出部と、
前記資産検出部から検出された第２資産のメタデータを、前記第１資産の編集されたメタデータに同期化する同期化処理部とを備えるメタデータの同期化装置。
【請求項８】
前記同期化処理部は、
前記第２資産の検出をユーザに通報し、前記ユーザから同期化の要求が受信されれば、前記第２資産のメタデータを前記第１資産の前記編集されたメタデータに同期化することを特徴とする請求項７に記載のメタデータの同期化装置。
【請求項９】
前記バックワードリンク情報ファイルが複数の分析されていない項目を含めば、前記資産検出部は、項目単位で前記第１資産と同じコンテンツを参照する資産検出動作を行うことを特徴とする請求項７に記載のメタデータの同期化装置。
【請求項１０】
メタデータの同期化方法を行うためのプログラムが保存されたコンピュータで読み取り可能な記録媒体において、
前記メタデータの同期化方法は、
第１資産のメタデータを編集するステップと、
前記第１資産が参照しているコンテンツのバックワードリンク情報ファイルを利用して、前記第１資産と同じコンテンツを参照している第２資産を検出するステップと、
前記第２資産のメタデータを前記第１資産の編集されたメタデータに同期化するステップとを含む記録媒体。
【発明の詳細な説明】
【技術分野】
【０００１】
本発明は、メタデータ同期化に係り、さらに具体的には、同じコンテンツを参照（またはリンク）する複数のＭＰＶ（マルチフォトビデオまたはミュージックフォトビデオ、以下、ＭＰＶという）ファイルの資産のメタデータの同期化方法、装置及びその方法を行うためのプログラムが保存された記録媒体に関する。
【背景技術】
【０００２】
デジタルデータコンテンツを取り扱うＩＴ（インフォメーション  テクノロジー）またはＣＥ（コンシューマ  エレクトロニクス）製品間にコンテンツを共有しかつ交換するための多様な技術が提示されている。前記多様な技術は、ＭＰＶを含む。
【０００３】
ＭＰＶは、現在ＯＳＴＡ（オプティカル  ストレージ  テクノロジー  アソシエーション）とＩ３Ａ（インターナショナル  イメージング  インダストリー  アソシエーション）で標準化を進めており、オープンスペックであって、デジタル写真やビデオ、デジタルオーディオ、テキストなどのコンテンツを処理、交換及び再生することを容易にすることを主目的としている。
【０００４】
ＭＰＶメタデータのようなＸＭＬ（ｅＸｔｅｎｄｅｄ  Ｍａｒｋｕｐ  Ｌａｎｇｕａｇｅ）基盤のメタデータの資産は、上位インデックスまたはアルバムによってリンクされる。このようなリンクは、ＸＭＬで記述され、リンクの参照方向は、上位資産から下位資産に向かう単方向参照リンクを有する。
【０００５】
すなわち、図１に示されたＭＰＶリンクの例を参照するに、／ＤＣＩＭ／１００ＡＢＣＤＥ／ＳＡＭＳ０００１.ＪＰＧ資産は、ａｌｂｕｍ００１.ｐｖｍファイルにリンクされており、／ＤＣＩＭ／１００ＡＢＣＤＥ／ＳＡＭＳ０００２.ＪＰＧ資産は、ａｌｂｕｍ００１.ｐｖｍファイル及びａｌｂｕｍ００２.ｐｖｍファイルにリンクされている。／ＤＣＩＭ／１０１ＡＢＣＤＥ／ＳＡＭＳ０００１.ＪＰＧ資産は、ａｌｂｕｍ００２.ｐｖｍファイルとｉｎｄｅｘ.ｐｖｍファイルとにリンクされており、／ＤＣＩＭ／１０１ＡＢＣＤＥ／ＳＡＭＳ０００１.ＷＡＶ資産は、ｉｎｄｅｘ.ｐｖｍファイルにリンクされている。
【０００６】
したがって、図１のｉｎｄｅｘ.ｐｖｍファイルのソースコードは、図２に示されたようにＸＭＬで記述されうる。図２を参照するに、ｉｎｄｅｘ.ｐｖｍファイルで／ＤＣＩＭ／１０１ＡＢＣＤＥ／ＳＡＭＳ０００１.ＪＰＧ資産のｍｐｖ：ｉｄは、“ＭａｒｉａｈＰｈｏｔｏ００”に記録され、／ＤＣＩＭ／１０１ＡＢＣＤＥ／ＳＡＭＳ０００１.ＷＡＶ資産のｍｐｖ：ｉｄは、“ＭａｒｉａｈＳｏｎｇ００”に記録され、ＳｔｉｌｌＷｉｔｈＡｕｄｉｏ資産のｍｐｖ：ｉｄは、“ＭａｒｉａｈＡｌｂｕｍ００”に記録される。
【０００７】
図１のａｌｂｕｍ００２.ｐｖｍファイルのソースコードは、図３に示されたように、ＸＭＬで記述されうる。図３を参照するに、ａｌｂｕｍ００２.ｐｖｍファイルで／ＤＣＩＭ／１０１ＡＢＣＤＥ／ＳＡＭＳ０００１.ＪＰＧ資産のｍｐｖ：ｉｄは、“ＭａｒｉａｈＰｈｏｔｏ００”に記録され、／ＤＣＩＭ／１００ＡＢＣＤＥ／ＳＡＭＳ０００２.ＪＰＧ資産のｍｐｖ：ｉｄは、“ＭａｎｄｙＭｏｏｒｅＰｈｏｔｏ００”に記録される。
【０００８】
図２及び図３のソースコードの例を参照するに、ＤＣＩＭ／１０１ＡＢＣＤＥ／ＳＡＭＳ０００１.ＪＰＧ資産のｍｐｖ：ｉｄをｉｎｄｅｘ.ｐｖｍファイルとａｌｂｕｍ００２.ｐｖｍファイルとを何れも“ＭａｒｉａｈＰｈｏｔｏ００”と記録している。このとき、ｉｎｄｅｘ.ｐｖｍファイルでＤＣＩＭ／１０１ＡＢＣＤＥ／ＳＡＭＳ０００１.ＪＰＧ資産のメタデータを編集する場合に、前記ＤＣＩＭ／１０１ＡＢＣＤＥ／ＳＡＭＳ０００１.ＪＰＧ資産のメタデータは、ａｌｂｕｍ００２.ｐｖｍファイルのＤＣＩＭ／１０１ＡＢＣＤＥ／ＳＡＭＳ０００１.ＪＰＧ資産のメタデータと異なる内容を有する。
【０００９】
すなわち、ｉｎｄｅｘ.ｐｖｍファイルでｍｐｖ：ｉｄが“ＭａｒｉａｈＰｈｏｔｏ００”に参照されているＤＣＩＭ／１０１ＡＢＣＤＥ／ＳＡＭＳ０００１.ＪＰＧ資産のメタデータである＜ｔｉｔｌｅ＞を“Ｂｅａｕｔｉｆｕｌ  Ｍａｒｉａｈ”から“Ｍａｒｉａｈ  ｉｎ  Ｋｏｒｅａ”に変更したとき、ａｌｂｕｍ００２.ｐｖｍファイルでｍｐｖ：ｉｄが“ＭａｒｉａｈＰｈｏｔｏ００”に参照されているＤＣＩＭ／１０１ＡＢＣＤＥ／ＳＡＭＳ０００１.ＪＰＧ資産のメタデータである＜ｔｉｔｌｅ＞は、依然として“Ｂｅａｕｔｉｆｕｌ  Ｍａｒｉａｈ”である。したがって、ＤＣＩＭ／１０１ＡＢＣＤＥ／ＳＡＭＳ０００１.ＪＰＧ資産にリンクされているｉｎｄｅｘ.ｐｖｍファイルとａｂｌｕｍ００２.ｐｖｍファイルのＤＣＩＭ／１０１ＡＢＣＤＥ／ＳＡＭＳ０００１.ＪＰＧ資産についてのメタデータとの間に矛盾が発生する。
【００１０】
このような矛盾は、前述したように単方向参照リンクを使用して資産が相互関連した資産についての情報が分からないためである。したがって、メタデータを編集するとき、同じコンテンツを参照する資産のメタデータ間の矛盾を解決するために、全ての資産のメタデータをチェックせねばならない。
【発明の開示】
【発明が解決しようとする課題】
【００１１】
本発明が解決しようとする技術的課題は、資産のメタデータを編集するとき、資産のバックワードリンク情報ファイルを利用して同じコンテンツを参照する他の資産のメタデータの同期化方法、装置及びその方法を行うためのプログラムが保存された記録媒体を提供することである。
【課題を解決するための手段】
【００１２】
前記課題を達成するために本発明は、メタデータの同期化方法において、第１資産のメタデータを編集するステップと、前記第１資産が参照しているコンテンツのバックワードリンク情報ファイルを利用して、前記第１資産と同じコンテンツを参照している第２資産を検出するステップと、前記第２資産のメタデータを前記第１資産の編集されたメタデータに同期化するステップとを含むメタデータの同期化方法を提供する。
【００１３】
前記課題を達成するために本発明は、ＭＰＶファイルユニットとバックワードリンクファイルユニットとを含むシステムで資産のメタデータを同期化する方法において、第１資産のメタデータを編集するステップと、前記バックワードリンクファイルユニットで前記第１資産が参照しているコンテンツのバックワードリンク情報ファイルを検索するステップと、前記バックワードリンク情報ファイルに基づいて前記ＭＰＶファイルユニットから検出された第２資産が、前記第１資産と同じコンテンツを参照するか否かをチェックするステップと、前記第２資産が前記第１資産と同じコンテンツを参照するに、前記第２資産のメタデータを前記第１資産の編集されたメタデータに同期化するステップとを含む資産のメタデータの同期化方法を提供する。
【００１４】
前記課題を達成するために本発明は、少なくとも一つの資産についての情報を有しているＭＰＶファイルユニットと、第１資産のメタデータを編集するメタデータ編集ユニットと、少なくとも一つのコンテンツのバックワードリンク情報ファイルを保存するバックワードリンク情報ファイルユニットと、前記メタデータ編集ユニットから提供される前記第１資産の情報に基づいて前記バックワードリンク情報ファイルユニットから前記第１資産が参照しているコンテンツのバックワードリンク情報ファイルを検索する検索部と、前記検索部によって検索されたバックワードリンク情報ファイルと前記ＭＰＶファイルユーニットに含まれた情報とを利用して、前記第１資産と同じコンテンツを参照している第２資産を検出する資産検出部と、前記資産検出部から検出された第２資産のメタデータを前記第１資産の編集されたメタデータに同期化する同期化処理部と、を備えるメタデータ同期化装置を提供する。
【００１５】
前記課題を達成するために本発明は、メタデータの同期化方法を行うためのプログラムが保存されたコンピュータで読み取り可能な記録媒体において、前記メタデータの同期化方法は、第１資産のメタデータを編集するステップと、第１資産が参照しているコンテンツのバックワードリンク情報ファイルを利用して、第１資産と同じコンテンツを参照している第２資産を検出するステップと、第２資産のメタデータを第１資産の編集されたメタデータに同期化するステップとを含む記録媒体を提供する。
【発明の効果】
【００１６】
本発明は、メタデータが編集されれば、編集されたメタデータを有する資産のバックワードリンク情報ファイルを参照して、編集された資産と同じコンテンツを参照する資産を検出し、検出された資産のメタデータを編集された資産のメタデータに同期させることによって、同じコンテンツを参照する複数のＭＰＶファイルにリンクされた資産のメタデータを容易に同期させ、同じコンテンツを参照する複数のＭＰＶファイルにリンクされた資産のメタデータ間の矛盾を防止しうる。
【発明を実施するための最良の形態】
【００１７】
以下、添付された図面を参照して本発明による実施形態を詳細に説明する。
【００１８】
図４は、本発明の実施形態によるメタデータの同期化装置を備えるシステムの機能ブロック図である。図４を参照するに、前記システムは、ＭＰＶファイルユニット４０１、メタデータ編集ユニット４０２、ｍｔｄファイルユニット４０３、メタデータ同期化装置４１０、及びユーザインターフェース部４２０を備える。前記システムは、デジタルメディアをキャップチャするキャップチャデバイスまたはデジタルメディア再生システムでありうる。
【００１９】
ＭＰＶファイルユニット４０１は、ＸＭＬに基づいて記述されたＭＰＶファイルの集合であり、＊.ｐｖｍファイル、＊.ｍｕｍファイル、＊.ｘｍｌファイルを含む。
【００２０】
メタデータ編集ユニット４０２は、ユーザインターフェース部４２０を通じて入力されるユーザの要求に応じてＭＰＶファイルユニット４０１に含まれている任意のＭＰＶファイル内の資産のメタデータを編集できる。前記編集は、メタデータ生成、複写、除去、変更、及び移動機能を含みうる。
【００２１】
例えば、ｉｎｄｅｘ.ｐｖｍファイルが図２に示されたようにＸＭＬに基づいて記述され、ユーザがｍｐｖ：ｉｄが“ＭａｒｉａｈＰｈｏｔｏ００”に参照されているＤＣＩＭ／１０１ＡＢＣＤＥ／ＳＡＭＳ０００１.ＪＰＧ資産のメタデータであるタイトルを“Ｂｅａｕｔｉｆｕｌ  Ｍａｒｉａｈ”から“Ｍａｒｉａｈ  ｉｎ  Ｋｏｒｅａ”に変更することを要求すれば、メタデータ編集ユニット４０２は、前記タイトルを“Ｂｅａｕｔｉｆｕｌ  Ｍａｒｉａｈ”から“Ｍａｒｉａｈ  ｉｎ  Ｋｏｒｅａ”に変更させる。
【００２２】
ユーザによって要求された編集が完了すれば、メタデータ編集ユニット４０２は、メタデータ同期化装置４１０に編集された資産についての情報を提供する。前記編集された資産についての情報は、編集された資産にリンクされたＭＰＶファイルのＬａｓｔＵＲＬと前記編集された資産のＬａｓｔＵＲＬとを含む。前記ＭＰＶファイルのＬａｓｔＵＲＬは、ＭＰＶファイル名とｍｐｖ：ｉｄ情報とを含む。例えば、メタデータ編集ユニット４０２は、編集された資産がＤＣＩＭ／１０１ＡＢＣＤＥ／ＳＡＭＳ０００１.ＪＰＧ資産であり、ｍｐｖ：ｉｄは、ＭａｒｉａｈＰｈｏｔｏ００であり、前記編集された資産にリンクされたＭＰＶファイルがｉｎｄｅｘ.ｐｖｍファイルという情報を前記メタデータ同期化装置４１０に提供するために、ｉｎｄｅｘ.ｐｖｍファイルのＬａｓｔＵＲＬ情報と編集された資産のＬａｓｔＵＲＬ情報とをメタデータ同期化装置４１０に提供しうる。
【００２３】
ｍｔｄファイルユニット４０３は、複数の＊.ｍｔｄファイル（以下、ｍｔｄファイルという）を含む。ｍｔｄファイルは、各資産が参照しているコンテンツのバックワードリンク情報を定義したバックワードリンク情報ファイルである。すなわち、ｍｔｄファイルは、対応するコンテンツを参照（またはリンク）する資産にリンクされたＭＰＶファイルの情報を定義したファイルであって、図５に示したようにＸＭＬに基づいて記述されうる。
【００２４】
図５に示したｍｔｄファイルは、図１に示したＭＰＶリンクでＤＣＩＭ／１０１ＡＢＣＤＥ／ＳＡＭＳ０００１コンテンツを参照する資産にリンクされた複数のＭＰＶファイルの情報を定義した場合である。図５から分かるように、ｍｔｄファイルに定義されているＭＰＶファイル情報でＭＰＶファイルにリンクされた資産の拡張子は分からない。ｍｔｄファイルに定義されたＭＰＶファイル情報は、各ＭＰＶファイルのＬａｓｔＵＲＬであるので、ＭＰＶファイル情報は、各ＭＰＶファイルのファイル名とｍｐｖ：ｉｄ情報とを含む。図５は、４個のＬａｓｔＵＲＬ項目がＭＰＶファイル情報として定義されたｍｔｄファイルである。
【００２５】
メタデータの同期化装置４１０は、メタデータ編集ユニット４０２から前記編集された資産についての情報が受信されれば、ｍｔｄファイルユニット４０３で編集された資産のｍｔｄファイルを検索し、ｍｔｄファイル内に定義された項目に基づいて前記編集された資産と同じコンテンツを参照する資産を検出し、検出された資産のメタデータを前記編集された資産のメタデータに同期させる。前記ｍｔｄファイル内に定義された項目に基づいて検出される資産は、前記編集された資産と同じコンテンツを参照するが、相異なるファイルによって参照（またはリンク）される資産である。
【００２６】
メタデータの同期化装置４１０は、ｍｔｄファイル検索部４１１、資産検出部４１２、及び同期化処理部４１３を備える。
【００２７】
ｍｔｄファイル検索部４１１は、メタデータ編集ユニット４０２から編集された資産についての情報が受信されれば、前記受信された編集された資産についての情報を利用して、ｍｔｄファイルユニット４０３で編集された資産のｍｔｄファイルを検索する。ｍｔｄファイルは、対応する資産のファイルネームと同じであり、拡張子がｍｔｄであるファイルである。したがって、ｍｔｄファイル検索部４１１は、編集された資産のＬａｓｔＵＲＬを利用してｍｔｄファイルを検索する。例えば、受信された編集された資産のＬａｓｔＵＲＬが／ＤＣＩＭ／１０１ＡＢＣＤＥ／ＳＡＭＳ０００１であれば、ｍｔｄファイル検索部４１１は、／ＤＣＩＭ／１０１ＡＢＣＤＥ／ＳＡＭＳ０００１.ｍｔｄファイルを対応するｍｔｄファイルで検索する。検索されたｍｔｄファイルは、資産検出部４１２に伝送する。
【００２８】
資産検出部４１２は、入力されたｍｔｄファイルで編集された資産と同じコンテンツを参照する資産を検出する。すなわち、資産検出部４１２は、入力されたｍｔｄファイルに定義されている項目（図５の場合に、ＬａｓｔＵＲＬ項目）のうち、編集された資産に対応する項目以外の他の項目が存在するか否かをチェックする。
【００２９】
もし、他の項目が一つ存在すれば、資産検出部４１２は、前記他の項目がメタデータの同期化のために分析されていない項目であるか否かをチェックする。前記チェックは、メタデータの同期化のために分析された項目についての別途の管理情報を参照して行うか、分析された項目と分析されていない項目とを区分するように色々な方法を使用して行える。もし、他の項目が分析されていない項目であれば、資産検出部４１２は、前記他の項目にリンクされた資産のＬａｓｔＵＲＬをＭＰＶファイルユニット４０１から得る。ＭＰＶファイルユニット４０１から得たＬａｓｔＵＲＬを参照して、資産検出部４１２は、前記他の項目にリンクされた資産が前記編集された資産と同じコンテンツを参照する資産であるか否かをチェックする。もし、他の項目にリンクされた資産が前記編集された資産と同じコンテンツを参照しなければ、資産検出部４１２は、編集された資産に対する資産検出を終了する。
【００３０】
もし、ｍｔｄファイルに複数の他の項目が存在すれば、前記他の項目に対して順次にメタデータの同期化のための分析が行われたか否かをチェックする。分析が行われていない項目が検出される度に、分析が行われていない項目にリンクされた資産を分析する。図５のｍｔｄファイルは、ＬａｓｔＵＲＬ項目と定義されているので、各ＬａｓｔＵＲＬ項目のうち、編集された資産に対応するＬａｓｔＵＲＬ項目を除外したＬａｓｔＵＲＬ項目に対してメタデータの同期化のための分析が行われたか否かをチェックし、前記分析が行われていないＬａｓｔＵＲＬ項目が存在すれば、前記分析が行われていないＬａｓｔＵＲＬ項目にリンクされた資産のＬａｓｔＵＲＬをＭＰＶファイルユニット４０１から得、前記得られたＬａｓｔＵＲＬを前記編集された資産のＬａｓｔＵＲＬと比較する。
【００３１】
前述したチェック及び比較過程を通じて編集された資産と同じコンテンツを参照する資産が検出されれば、資産検出部４１２は、前記検出された資産を同期化処理部４１３に提供する。複数の資産が検出されれば、資産検出部４１２は、検出された資産を資産単位で同期化処理部４１３に伝送しうる。
【００３２】
同期化処理部４１３は、資産検出部４１２から伝送される検出された資産についての情報をユーザインターフェース部４２０に提供する。同期化処理部４１３がユーザインターフェース部４２０から同期化要求情報を受信すれば、同期化処理部４１３は、検出された資産のメタデータとメタデータ編集ユニット４０２から提供される編集されたメタデータとを同期化させる。これにより、ＭＰＶファイルユニット４０１で、前記検出された資産と前記編集された資産とは、同じメタデータを有する。
【００３３】
同期化処理部４１３は、資産検出部４１２から資産単位で検出された資産情報が提供されれば、該当する資産に対する同期化が完了した後、資産検出部４１２にその次の検出資産についての情報を要求しうる。資産検出部４１２からそれ以上検出された資産が提供されなければ、同期化処理部４１３は、編集されたメタデータを有する資産及び検出された資産のメタデータ同期化を終了する。
【００３４】
前述した資産検出部４１２と同期化処理部４１３とは、ｍｔｄファイルに定義されている項目単位で動作する。
【００３５】
ユーザインターフェース部４２０は、ユーザによって編集要求情報が入力されれば、メタデータ編集ユニット４０２に前記編集要求情報を伝送する。また、メタデータ同期化装置４１０から検出された資産に対する同期化をユーザが所望するか否かを確認するための情報が受信されれば、ユーザインターフェース部４２０は、ユーザに前記情報を通報する。ユーザから同期化要求情報が受信されれば、ユーザインターフェース部４２０は、これをメタデータ同期化装置４１０の同期化処理部４１３に提供する。
【００３６】
図６は、本発明の実施形態によるメタデータの同期化方法についての動作フローチャートである。
【００３７】
図４のメタデータ編集ユニット４０２で説明したように、メタデータが編集されれば（６０１）、編集されたメタデータを有する資産のｍｔｄファイルがｍｔｄファイルユニット４０３に存在するか否かをチェックする（６０２）。
【００３８】
ｍｔｄファイルがｍｔｄファイルユニット４０３に存在すれば、ｍｔｄファイル内に定義されている項目のうちから編集された資産に対応する項目を除外した残りの項目のうち、メタデータの同期化のために分析されていない項目が存在するか否かをチェックする（６０３）。すなわち、前記残りの項目にリンクされた資産が前記編集された資産と同じコンテンツを参照する資産であるか否かを判断するための分析が行われていない項目が存在するか否かをチェックする。
【００３９】
ｍｔｄファイル内に定義されている前記残りの項目のうち、分析されていない項目が存在すれば、分析されていない項目にリンクされた資産を分析する（６０４）。すなわち、図５を参照するに、分析されていないＬａｓｔＵＲＬ項目に基づいてＭＰＶファイルユニット４０１からリンクされた資産のＬａｓｔＵＲＬを検出する。複数の分析されていない項目が存在すれば、ｍｔｄファイルに定義されている項目の順序で分析されていない項目にリンクされた資産を分析しうる。
【００４０】
分析された資産が編集された資産と同じコンテンツを参照するか否かを判断する（６０５）。すなわち、分析された資産のＬａｓｔＵＲＬが編集された資産のＬａｓｔＵＲＬと同じであれば、分析された資産は、編集された資産と同じコンテンツを参照すると判断される。しかし、分析された資産のＬａｓｔＵＲＬが編集された資産のＬａｓｔＵＲＬと異なれば、異なるコンテンツを参照すると判断する。
【００４１】
もし、分析された資産が編集された資産と同じコンテンツを参照しなければ、前記プロセスは、ステップ６０３にリターンされる。しかし、分析された資産が編集された資産と同じコンテンツを参照するに、ユーザに同じコンテンツを参照する他の資産の検出事実を知らせる（６０６）。
【００４２】
ユーザによって同期化要求情報が受信されれば（６０７）、検出された資産のメタデータと編集された資産のメタデータとを同期化する。しかし、ユーザによって同期化要求情報が受信されなければ、ステップ６０３にリターンされる。
【００４３】
ステップ６０２で編集された資産に対応するｍｔｄファイルがｍｔｄファイルユニット４０３に存在していないか、またはステップ６０３でｍｔｄファイルに分析されていない項目が存在していなければ、同じコンテンツを参照する資産のメタデータ間の同期化作業を終了する。
【００４４】
以上、本発明についてその望ましい実施形態を中心に説明した。当業者は、本発明が本発明の本質的な特性から逸脱しない範囲で変形された形態で具現されうるということが理解できるであろう。したがって、開示された実施形態は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【産業上の利用可能性】
【００４５】
本発明は、デジタル写真やビデオ、デジタルオーディオ、テキストなどのコンテンツを処理、交換及び再生する技術分野に好適に適用可能である。
【図面の簡単な説明】
【００４６】
【図１】ＭＰＶリンクの例示図である。
【図２】図１に示されたｉｎｄｅｘ.ｐｖｍファイルのソースコード例を示す図である。
【図３】図１に示されたａｌｂｕｍ００２.ｐｖｍファイルのソースコード例を示す図である。
【図４】本発明の実施形態によるメタデータ同期化装置を備えるシステムの機能ブロック図である。
【図５】ｍｔｄファイルのソースコード例を示す図である。
【図６】本発明の実施形態によるメタデータの同期化方法の動作フローチャートである。
【図１】
2007536614.tif 000003
【図２】
2007536614.tif 000004
【図３】
2007536614.tif 000005
【図４】
2007536614.tif 000006
【図５】
2007536614.tif 000007
【図６】
2007536614.tif 000008
【国際調査報告】
2007536614.tif 000009